(57)【要約】【課題】  膣口から臀裂部に対向する縦長の生理用ナプキンにおいて、臀裂に密着し、後方への経血の洩れ防止機能を高めることができるようにする。【解決手段】  生理用ナプキン１は、液吸収層２２を有するナプキン本体２を有しており、このナプキン本体２２の肌側表面に立体構造部３が設けられている。この立体構造部３は、エアーレイド不織布と液透過性シートで形成され、エアーレイド不織布には高さ方向に延びる圧縮部３７が形成されている。前記立体構造部３は身体の溝に密着し、就寝時などにおいて経血が後方へ洩れ出るのを有効に防止できるようにする。【選択図】図１
2005334293.tif 000002
【特許請求の範囲】
【請求項１】
液を吸収保持する液吸収層を有し、膣対向部とさらにその後方に延びる臀裂対向部とが形成されたナプキン本体を有する縦長形状の生理用ナプキンにおいて、
前記臀裂対向部には、前記ナプキン本体の肌側表面から隆起する立体構造部が設けられ、前記立体構造部は、前記肌側表面から離れる位置に頂部を有し、
前記立体構造部は、表面に現れている液透過性シートとこの液透過性シートの内側に位置する補強部材とを有しており、
前記立体構造部の前記頂部にナプキン本体に向けた加圧力が作用したときに、前記補強部材が弾性変形して前記立体構造部の高さ寸法を減少させることが可能であることを特徴とする生理用ナプキン。
【請求項２】
前記立体構造部は、ナプキン本体の肌側表面からの立ち上がり起端となる前方起端と後方起端とを有し、前記肌側表面からの立ち上がり高さ寸法が、前記前方起端と前記後方起端との中間で最大になり、前記立ち上がり高さ寸法が最大となる箇所が、ナプキン本体の肛門対向部に位置しまたはそれよりも後方に位置している請求項１記載の生理用ナプキン。
【請求項３】
前記立体構造部の高さ寸法が最大の部分で、前記立体構造部の頂部をナプキン本体の肌側表面に対して垂直に加圧し、前記加圧力が前記頂部の幅１ｍｍで且つ長さ１０ｍｍ当たり０．２Ｎとなったときに、前記頂部の前記高さ寸法の減少率が６６％以下である請求項１または２記載の生理用ナプキン。
【請求項４】
前記立体構造部の高さ寸法が最大の部分で、前記立体構造部の頂部をナプキン本体の肌側表面に対して垂直に加圧し、前記加圧力が前記頂部の幅１ｍｍで且つ長さ１０ｍｍ当たり０．３Ｎとなったときに、前記頂部の前記高さ寸法の減少率が２０％以上である請求項１ないし３のいずれかに記載の生理用ナプキン。
【請求項５】
前記補強部材は、液吸収機能を有する繊維層であり、前記繊維層が、前記立体構造部の内側に密着して設けられている請求項１ないし４のいずれかに記載の生理用ナプキン。
【請求項６】
前記立体構造部の内部が空洞である請求項５記載の生理用ナプキン。
【請求項７】
前記補強部材となる前記繊維層に、圧縮部が形成されている請求項５または６記載の生理用ナプキン。
【請求項８】
前記圧縮部は、前記ナプキン本体の肌側表面から離れる方向に延びるように線状に形成されている請求項７記載の生理用ナプキン。
【請求項９】
前記立体構造部の幅寸法は、前方と後方で広く、中間で狭く形成されている請求項１ないし８のいずれかに記載の生理用ナプキン。
【請求項１０】
前記立体構造部は、前記肌側表面に近い位置である裾部から前記頂部に向けて幅寸法が徐々に小さくなる形状である請求項１ないし１０のいずれかに記載の生理用ナプキン。
【請求項１１】
前記立体構造部は、前記裾部の幅寸法が１５〜４５ｍｍであり、頂部の幅寸法が１〜５ｍｍである請求項１０記載の生理用ナプキン。
【発明の詳細な説明】
【技術分野】
【０００１】
本発明は、膣対向部とその後方に長く延びる臀裂対向部とを有する縦長の生理用ナプキンに係り、特に身体の肛門から後方に延びる臀裂に密着し且つ臀裂の変形に追従でき、就寝時などにおける後方への経血の洩れを防止する効果を発揮できる生理用ナプキンに関する。
【背景技術】
【０００２】
従来の生理用ナプキンには、液吸収層を有するナプキン本体の肌側表面に、身体に密着させるための凸構造部を設けたものが存在している。
【０００３】
以下の特許文献１に記載の生理用ナプキンは、断面が三角形状の第１の吸収部材を有している。この第１の吸収部材は、液を吸収保持する吸収核とこの吸収核を覆う外側覆いとを有している。特許文献１に記載の生理用ナプキンは、前記第１の吸収部材が膣口に密着し、経血が主に前記第１の吸収部材で吸収されて保持される。また、前記生理用ナプキンには、衣類に接触する平坦状の第２の吸収部材が設けられており、前記第１の吸収部材は、前記第２の吸収部材の表面に設置されている。
【０００４】
特許文献２に記載の生理用ナプキンは、液を吸収する機能を有する吸収性材料管が設けられている。この吸収性材料管は、筒状に形成された吸収性材料とこの吸収性材料を覆うカバーとから成るものであり、この吸収性材料管は着用者の膣口に心地よくフィットできるものとなっている。そして、前記吸収性材料管は、ベースパッドの表面に設置されている。
【０００５】
以下の特許文献３に記載のものは、生理用ナプキンの肌側表面に断面が三角形状のこぶが隆起している。前記こぶは、液透過性の表面シートと液吸収層との間に設けられた吸収体と補強部材とで構成されており、前記補強部材は、プラスチックシートなどの硬質材料で形成されている。特許文献３に記載の生理用ナプキンは、補強部材で補強されたこぶが膣口に当たり、体圧による圧縮力を受けたときにも、前記こぶが潰されることがなく、生理用ナプキンと膣口との密接状態を維持できるというものである。
【０００６】
また、前記特許文献３の図５には、プラスチックシートで形成された前記補強部材の後端部に突起が形成されたものが開示されており、この突起を設けることで臀部の溝に適合できると記載されている。
【０００７】
次に、以下の特許文献４に記載の生理用ナプキンは、肌側表面の後方領域に山形形状の突起が設けられている。前記特許文献４の記載では、この突起がどのような手段で構成されているのか不明であるが、この突起がヒップの溝に当接することで経血の後ろ洩れを防ぐものとされている。
【特許文献１】特表平１１−５００９４０号公報
【特許文献２】特表２００２−５１２８５１号公報
【特許文献３】特表２００１−５０４７２７号公報
【特許文献４】特開平１１−４２２５０号公報
【発明の開示】
【発明が解決しようとする課題】
【０００８】
女性が就寝するときに着用する生理用ナプキンとして、膣対向部の後方に臀部対向部が形成された縦長のものが知られている。しかし単に生理用ナプキンの後方部分を臀部に対向させただけでは、就寝時に、肛門から後方に延びる臀裂に沿って後方へ流れようとする経血を有効に留めることはできない。
【０００９】
前記特許文献１の生理用ナプキンは、断面三角形状の第１の吸収部材を有し、前記特許文献２に記載の生理用ナプキンは、吸収性材料管を有している。しかし、前記第１の吸収部材と前記吸収性材料管は、共に女性の膣口に心地よく密着することを目的としているものであって、臀裂に対向させることを意図したものではない。仮に前記第１の吸収部材や前記吸収性材料管を臀裂に対向させたとしても、これらは臀裂内に入り込めるだけの剛性を有しておらず、臀裂内に密着させることはできない。
【００１０】
次に、前記特許文献３に記載の生理用ナプキンは、補強部材を設けることによりこぶが容易に潰れないようにしている。特許文献３には、前記補強部材の後端部に突起を設けて臀裂に適合させることが開示されているが、前記補強部材はプラスチックシートなどの硬質部材であるため、この硬質部材が臀裂に違和感を与えやすい。すなわち、身体が立ち姿勢のときと仰向けに寝た姿勢のときとで臀裂の深さが相違し、寝た姿勢のときには臀部の肌どうしが密着して溝が浅くなる。前記硬質部材で補強されたこぶを臀裂に対向させた状態で仰向け姿勢になると、前記硬質部材が臀部の浅い溝に当たって違和感を与えやすくなり、心地よく就寝することができなくなる。
【００１１】
前記特許文献４に記載のものは、突起がどのような構造であるか不明であるが、この突起は断面が三角形であり、特許文献１や特許文献２と同様に臀裂にフィットしにくいものである。
【００１２】
本発明は、前記従来の課題を解決するものであり、肌側表面の立体構造部が臀裂内に密着しやすくなって、就寝時などにおいて後方への経血の洩れを有効に防止できるようにした生理用ナプキンを提供することを目的としている。
【課題を解決するための手段】
【００１３】
本発明は、液を吸収保持する液吸収層を有し、膣対向部とさらにその後方に延びる臀裂対向部とが形成されたナプキン本体を有する縦長形状の生理用ナプキンにおいて、
前記臀裂対向部には、前記ナプキン本体の肌側表面から隆起する立体構造部が設けられ、前記立体構造部は、前記肌側表面から離れる位置に頂部を有し、
前記立体構造部は、表面に現れている液透過性シートとこの液透過性シートの内側に位置する補強部材とを有しており、
前記立体構造部の前記頂部にナプキン本体に向けた加圧力が作用したときに、前記補強部材が弾性変形して前記立体構造部の高さ寸法を減少させることが可能であることを特徴とするものである。
【００１４】
本発明の生理用ナプキンは、臀裂対向部に立体構造部が設けられ、この立体構造部は補強部材によって剛性が確保されているとともに、頂部に体圧が作用したときにその高さ寸法が減少するように変形可能なものとなっている。したがって、前記立体構造部が臀裂内に違和感なく密着して、臀裂に沿って後方へ流れようとする経血を留めやすくなる。
【００１５】
本発明では、前記立体構造部は、ナプキン本体の肌側表面からの立ち上がり起端となる前方起端と後方起端とを有し、前記肌側表面からの立ち上がり高さ寸法が、前記前方起端と前記後方起端との中間で最大になり、前記立ち上がり高さ寸法が最大となる箇所が、ナプキン本体の肛門対向部に位置しまたはそれよりも後方に位置していることが好ましい。
【００１６】
前記構造では、立体構造物の高さ寸法が最大の部分が、臀裂の最も深い部分に対向することになり、立体構造部は臀裂内に密着して、経血の後ろ洩れを防止しやすくなる。
【００１７】
本発明では、前記立体構造部の高さ寸法が最大の部分で、前記立体構造部の頂部をナプキン本体の肌側表面に対して垂直に加圧し、前記加圧力が前記頂部の幅１ｍｍで且つ長さ１０ｍｍ当たり０．２Ｎとなったときに、前記頂部の前記高さ寸法の減少率が６６％以下であることが好ましい。
【００１８】
女性の臀裂に対し立体構造部を奥まで挿入するのに要する最小荷重は、幅１ｍｍで長さ１０ｍｍ当たり０．２Ｎである。また女性が立った姿勢から仰向けの姿勢となったときの、身体の溝の深さの減少率は最大で６６％程度である。よって、前記０．２Ｎの力を与えたときに、立体構造部の高さ寸法が６６％よりも減少しないようにしておけば、仰向け姿勢のときに、立体構造部が身体の溝内に密着し続けることができる。
【００１９】
また、本発明では、前記立体構造部の高さ寸法が最大の部分で、前記立体構造部の頂部をナプキン本体の肌側表面に対して垂直に加圧し、前記加圧力が前記頂部の幅１ｍｍで且つ長さ１０ｍｍ当たり０．３Ｎとなったときに、前記頂部の前記高さ寸法の減少率が２０％以上であることが好ましい。
【００２０】
女性が立ち姿勢から仰向け姿勢となったときに、臀裂の深さが２０％程度減少する。一方、臀部に荷重を与えたときに、その力が、幅１ｍｍで長さ１０ｍｍ当たり０．３Ｎ以下であれば臀部に違和感を与えることが少ない。よって、立体構造部の頂部に０．３Ｎの力を与えたときに、高さが２０％以上減少できれば、仰向けに寝たときに、立体構造部が身体に違和感を与えることがなく、この立体構造部が臀裂の変形に追従できるようになる。
【００２１】
また、本発明は、前記補強部材は、液吸収機能を有する繊維層であり、前記繊維層が、前記立体構造部の内側に密着して設けられているものが好ましい。
【００２２】
補強部材を前記繊維層で形成することにより、立体構造部の剛性を、前述のように臀裂に違和感無く密着し、また臀裂の変形に追従するように設定しやすくなる。
【００２３】
また、前記立体構造部の内部が空洞であることが好ましい。立体構造部の内部が空洞であると、立体構造部の両壁面が変形して臀部の肌の隙間内に入り込みやすくなる。
【００２４】
また、本発明は、前記補強部材となる前記繊維層に、圧縮部が形成されていることが好ましく、前記圧縮部は、前記ナプキン本体の肌側表面から離れる方向に延びるように線状に形成されていることが好ましい。
【００２５】
前記のように圧縮部を形成すると、立体構造部の剛性を高めることができ、立体構造部が臀裂内に違和感なく入り込めるようになる。
【００２６】
また、本発明は、前記立体構造部の幅寸法は、前方と後方で広く、中間で狭く形成されているものとすることができる。
【００２７】
立体構造部の幅寸法をその中間において細くすることにより、この細い部分が臀裂内に入り込みやすくなる。
【００２８】
また、本発明では、前記立体構造部を、前記肌側表面に近い位置である裾部から前記頂部に向けて幅寸法が徐々に小さくなる形状とすることができる。この場合に、前記立体構造部は、裾部の幅寸法が１５〜４５ｍｍであり、頂部の幅寸法が１〜５ｍｍであることが好ましい。
【００２９】
立体構造部の幅寸法を頂部へ向けて徐々に小さくすると、立体構造部が臀裂に入り込みやすくなる。
【発明の効果】
【００３０】
本発明は、ナプキン本体の肌側表面に設けられた立体構造部が臀裂に密着しやすくなる。また女性が立った姿勢から仰向けの姿勢となったときに、立体構造部が臀裂に密着し続け且つ前記立体構造部が身体へ違和感を与えにくくなる。よって、臀裂に沿って後方へ流れようとする経血を留めて、経血の後ろ洩れを防止しやすくなる。
【発明を実施するための最良の形態】
【００３１】
図１は本発明の第１の実施の形態の生理用ナプキンを示す斜視図、図２は、前記生理用ナプキンの縦断面図、図３は図１の生理用ナプキンをＩＩＩ−ＩＩＩ線で切断した横断面図である。
【００３２】
以下においては、生理用ナプキン１を構成する各要素の２つの表面のうち、身体に向く表面を「肌側表面」と呼び、反対側の表面を「着衣側表面」と呼ぶ。また、生理用ナプキンの長手方向を「縦方向」と呼び、前記縦方向と直交する方向を「幅方向」と呼ぶ。各要素の寸法は、特に明記しない限り、縦方向に測定した寸法を「長さ寸法」とし、前記幅方向に測定した寸法を「幅寸法」と呼ぶ。
【００３３】
第１の実施の形態の生理用ナプキン１は、ナプキン本体２と、ナプキン本体２の肌側表面に位置する立体構造部３とを有している。
【００３４】
図２と図３に示すように、前記ナプキン本体２は、着衣側表面に位置する液遮断性の裏面シート２１と、その上に設置された液吸収層２２と、前記液吸収層２２を覆う液透過性の表面シート２３とを有している。
【００３５】
図１に示すように、ナプキン本体２は、曲線形状の前縁部４と同じく曲線形状の後縁部５を有している。ナプキン本体２は、その長さ寸法の最大値が２８０〜４５０ｍｍの縦長形状である。前記液吸収層２２も縦長形状であり、この液吸収層２２は、前記前縁部４よりもやや内側に位置する曲線形状の前端部２２ａおよび、前記後縁部５よりもやや内側に位置する曲線形状の後端部２２ｂを有している。また液吸収層２２の左右両側端部２２ｃ，２２ｃは、縦方向中心線Ｏｙと平行な直線形状である。
【００３６】
ナプキン本体２の両側部の形状は、前方において、前記液吸収層２２の両側端部２２ｃ，２２ｃよりも左右両側に突出した前方フラップ部６，６と、前記前方フラップ部６，６よりも後方において左右両側に突出した折り返しフラップ部７，７と、前記折り返しフラップ部７，７よりもさらに後方において、左右両側に突出した後方フラップ部８，８とを有している。前記前方フラップ部６，６と折り返しフラップ部７，７および後方フラップ部８，８では、裏面シート２１と表面シート２３とが重ねられてホットメルト型接着剤により互いに接着されている。なお、ナプキン本体の肌側表面の両側部に液遮断性の側部シートが設けられ、前記前方フラップ部６，６、折り返しフラップ部７，７および後方フラップ部８，８が、前記裏面シート２１と前記側部シートとで構成されていてもよい。
【００３７】
前記ナプキン本体２を構成している前記裏面シート２１は、坪量が２３ｇ／ｍ２程度のポリエチレン樹脂などのフィルムであり、好ましくは透湿性のものが使用される。前記液吸収層２２は、粉砕パルプと高吸収性ポリマー（ＳＡＰ）とが混合され、さらに親水性のティッシュペーパで包まれているものであり、粉砕パルプの目付けは４００ｇ／ｍ２程度である。
【００３８】
前記表面シート２３は、目付けが２５ｇ／ｍ２程度のスルーエア不織布である。このスルーエア不織布を構成する繊維は、芯部がポリエチレンテレフタレート樹脂で、鞘部がポリエチレン樹脂の芯鞘型の複合合成繊維であり、前記芯部に酸化チタンなどの無機フィラーが混入されたものが使用される。
【００３９】
前記表面シート２３を構成する前記液透過性シートは、スルーエア不織布に限られず、ポイントボンド不織布、スパンレース不織布あるいはスパンボンド不織布などであってもよいが、液の透過性を良好にするために繊維密度は０．１２ｇ／ｃｍ３以下であることが好ましい。また、前記表面シート２３が、多数の液透過孔を有する樹脂フィルムで形成されてもよい。
【００４０】
図１に示すＸ１は、膣対向基準線であり、この膣対向基準線Ｘ１は、ナプキン本体２の前縁部４から後方へ１００〜２００ｍｍの範囲に位置しており、例えば前記前縁部４から後方へ約１５０ｍｍ離れて位置している。
【００４１】
ここで言う膣対向基準線Ｘ１とは、この生理用ナプキン１を下着に固着させて股間部に装着するときに、ほぼ膣の中心に一致させる目安となる位置を意味している。この目安は、生理用ナプキンを肌側表面から見たときの全体形状や、肌側表面に形成されている圧縮線の形状などの全体のデザインによって誘導するものであるが、この実施の形態のように左右両側に突出する折り返しフラップ部７，７が存在しているときには、通常はこの折り返しフラップ７，７の縦方向寸法の中心位置が膣口の中心部に対向させる目安となる。
【００４２】
よって、この実施の形態では、折り返しフラップ７，７の中心を通る線を前記膣対向基準線Ｘ１とする。
【００４３】
図１に示すＸ２は、肛門対向基準線であり、前記膣対向基準線Ｘ１を膣口の中心位置に一致させたときに、前記肛門対向基準線Ｘ２が肛門に対向する。この肛門対向基準線Ｘ２は、着用者の身体によって相違するが、通常は前記膣対向基準線Ｘ１から後方へ距離３０〜７０ｍｍだけ離れた位置にある。
【００４４】
図１に示すＸ３は、尾てい骨対向基準線である。前記膣対向基準線Ｘ１を膣口の中心位置に一致させたときに、前記尾てい骨対向基準線Ｘ３が、尾てい骨に対向する。この尾てい骨対向基準線Ｘ３は、着用者の身体によって相違するが、通常は前記膣対向基準線Ｘ１から後方へ距離１２０〜１８０ｍｍ離れた位置にある。前記ナプキン本体２の後縁部５および前記液吸収層２２の後端部２２ｂは、前記尾てい骨対向基準線Ｘ３よりもさらに後方に位置している。
【００４５】
女性の股間部では膣の前端（陰唇前端）から尾てい骨にかけて「身体の溝」が形成されているが、本明細書では、前記「身体の溝」のうちの、肛門付近を起点としてそこから尾てい骨にかけての溝を「臀裂」と表現する。図１に示す生理用ナプキン１では、前記膣対向基準線Ｘ１の前方５０ｍｍから後方へ５０ｍｍの範囲が膣対向部であり、前記肛門対向基準線Ｘ２から前記尾てい骨対向基準線Ｘ３までの範囲が臀裂対向部である。
【００４６】
図１１は身体の溝を模式的に記載したものである。身体の溝は、左右の肌が離れている非会合部と、左右の肌が密着している会合部とを有している。図１１では、非会合部の深さをＤ１で示し、前記会合部の深さをＤ２で示している。なお、非会合部の深さ寸法Ｄ１の測定起点は、立ち姿勢のときは、左右の肌の間隔Ｗａが４０ｍｍの位置を起点とし、仰向けに寝た姿勢では前記間隔Ｗａが３０ｍｍの位置を起点とする。
【００４７】
図１０は、女性の股間部に生理用ナプキン１が装着された状態を示す縦断面図である。女性の身体における膣口中心よりも前方２０ｍｍの位置を（ｉ）で示し、膣口中心の位置を（ｉｉ）で示している。膣口中心から後方へ５０ｍｍ離れた後陰唇交連の位置を（ｉｉｉ）で示している。また、肛門位置を（ｉｖ）で示し、肛門よりも後方へ２５ｍｍ離れた位置を（ｖ）、肛門よりも後方へ５０ｍｍ離れた位置を（Ｖｉ）、肛門よりも後方へ８０ｍｍ離れた位置を（Ｖｉｉ）、尾てい骨の位置を（ｖｉｉｉ）で示している。
【００４８】
図１２は、前記位置（ｉ）〜（Ｖｉｉｉ）における前記非会合部の深さ寸法Ｄ１の測定値を示している。この数値は、年齢２７歳、体重５６Ｋｇ、身長１６８ｍｍで、ＢＭＩが１９．８の日本人女性を被検者として測定したものである。
【００４９】
図１２に示すように、身体の溝の非会合部の深さＤ１は、肛門の位置（ｉｖ）から肛門の後方へ２５ｍｍ離れた位置（ｖ）にかけて最大となり、その最大深さは立姿勢において約２５ｍｍであり、仰向け姿勢において約２０ｍｍである。
【００５０】
図１に示す生理用ナプキン１は、ナプキン本体２の後方部分に立体構造部３が設けられている。この立体構造部３は、前記身体の溝のうちの、少なくとも肛門の位置（ｉｖ）から後方５０ｍｍの位置（Ｖｉ）の範囲において、前記非会合部に入り込ませて密着させ、さらに好ましくは前記会合部の内部に入り込んで密着させることを目的としている。そのため、前記立体構造部３は、少なくとも肛門対向基準線Ｘ２を起点としてそれよりも後方へ５０ｍｍ離れた位置までの範囲内に設けられる。
【００５１】
図１に示す生理用ナプキン１は、立体構造部３の前方起端３１が、前記肛門対向基準線Ｘ２よりも前方で前記膣対向基準線Ｘ１よりもやや後方に位置している。また後方起端３２は、前記尾てい骨対向基準線Ｘ３よりもやや前方に位置している。なお、前記前方起端３１は、膣対向基準線Ｘ１よりも前方へ２０ｍｍ離れた位置を起点としそれから肛門対向基準線Ｘ２までの範囲内のいずれかの位置に設けることができる。
【００５２】
図２に示すように、前記ナプキン本体２の肌側表面から立体構造部３の頂部３ａまでの高さ寸法Ｈは、前記前方起端３１および前記後方起端３２から中間に向って徐々に大きくなり、前記頂部３ａはナプキン本体２の縦方向中心線Ｏｙに沿って肌側に向けて凸となる曲線形状である。前記高さ寸法の最大値Ｈｍａｘは、臀裂の深さが最大となる位置、すなわち前記肛門対向基準線Ｘ２からそれよりも後方５０ｍｍの範囲内に存在していることが好ましい。この実施の形態では、肛門対向基準線Ｘ２よりも後方へ５０ｍｍ離れた位置において前記高さ寸法が最大値Ｈｍａｘとなっている。
【００５３】
図３に示すように、立体構造部３は、左右両側に縦方向に延びる一対の壁面３３，３３を有している。前記壁面３３と壁面３３との表面間の幅寸法は、ナプキン本体２の肌側表面に近い位置にある裾部から頂部３ａに向けて徐々に狭くなる形状である。立体構造部３の裾部の幅寸法Ｗ１は、ナプキン本体２の肌側表面からｈ１＝１０ｍｍ離れた位置で測定された寸法であり、前記幅寸法Ｗ１は１５〜４５ｍｍの範囲が好ましい。図１１に示すように、身体の溝の開き幅寸法Ｗａは、立ち姿勢で３０〜４０ｍｍであり、仰向け姿勢で２０〜３０ｍｍである。ナプキン本体２の肌側表面からｈ１＝１０ｍｍ離れた位置での幅寸法Ｗ１が１５〜４５ｍｍの範囲であれば、立体構造部３が臀裂内に違和感無く入り込めるようになる。
【００５４】
図３に示すように、立体構造部３の頂部３ａからｈ２＝３ｍｍ下がった位置での幅寸法を頂部の幅寸法Ｗ２とすると、前記幅寸法Ｗ２は１〜５ｍｍの範囲が好ましく、さらに好ましくは１〜３ｍｍである。前記範囲であると、頂部３ａが身体の溝内の奥部まで入り込むことができ、また幅寸法が１ｍｍ以上であれば、身体の溝の奥に頂部３ａが当たったとしても、身体の溝に過剰な刺激を与えるのを防止できる。
【００５５】
前記立体構造部３の前記壁面３３と壁面３３の開き角度θは、１２０度以下で好ましくは９０度以下である。さらに好ましくは６０度以下や４５度以下である。なお、前記開き角度θとは、図３に示すように立体構造部３の断面形状が三角形である場合には、壁面３３と壁面３３の外面どうしが成す角度である。また、図３に示す断面において、壁面３３と壁面３３の外面が左右に膨らむ突曲線形状などであるときには、ナプキン本体２の肌側表面から前記頂部３ａまでの高さ寸法の１／２の位置において、壁面３３の外面に接し且つ高さ方向に延びる接線どうしの成す角度である。
【００５６】
なお、前記角度θの測定は、半径が１１０ｍｍの円筒内周面を有する測定治具を使用し、生理用ナプキン１の長手方向を円筒内周面の曲率方向へ向けた状態で、生理用ナプキン１の着衣側表面を前記円筒内周面に接着させた状態で行う。このとき、ナプキン本体２の肌側表面から前記立体構造部３の立ち上がり高さが最も高くなった位置で前記θを測定する。
【００５７】
また、立体構造部３の断面形状は図３に示す三角形に限られるものではなく、例えば頂部３ａがフラットな形状であったり、または両壁面３３，３３が左右両側に曲面的に膨らみを有する形状であってもよい。
【００５８】
図１と図３に示すように、前記立体構造部３の前記両壁面３３，３３の下端には、接合片３４が一体に設けられており、この接合片３４が、ナプキン本体２の肌側表面にホットメルト型接着剤により接着されて固定されている。この実施の形態では、立体構造部３が、その全長において前記肌側表面から離れないように固定されている。ただし、立体構造部３の前方起端３１付近と後方起端３２付近のみが前記肌側表面に固定されて、その中間部分が肌側表面に対して幅方向へ自由に動けるものであってもよい。このように構成すると、立体構造部３が臀裂内に密着した状態で、下着と共にナプキン本体２が左右に動いたときにも、立体構造部３が臀裂に密着した状態を維持できる。
【００５９】
図３に示すように、前記立体構造部３は、補強部材３５と、前記補強部材３５の肌に接する表面を覆う液透過性シート３６とで構成されている。前記補強部材３５は、剛性を高める機能だけでなく液を吸収保持する機能を有するものである。また前記立体構造部３の内部は空洞である。
【００６０】
前記補強部材３５はエアーレイド不織布であり、パルプが３０質量％と、芯部がポリプロピレン樹脂で鞘部がポリエチレン樹脂の芯鞘型複合合成繊維が７０質量％とを混綿した混合繊維をエアーレイド法で積層し、加熱ローラ間で加圧し加圧して、前記ポリエチレン樹脂の熱接着力によって繊維間を接合したものである。
【００６１】
前記補強部材３５は目付けが６０〜３００ｇ／ｍ２程度であり、エアーレイド不織布が２枚または３枚重ねられて構成されている。また補強部材３５は、エンボス加工によって加熱され加圧されて圧縮部３７が形成されている。図１と図２に示すように、前記圧縮部３７は縦方向に間隔を開けて、ナプキン本体２の肌側表面から頂部３ａに向けてほぼ垂直に立ち上がるように互いに並行に形成されている。
【００６２】
前記エアーレイド不織布で形成された補強部材３５によって、それぞれの壁面３３，３３が別体に形成されており、両補強部材３５が頂部３ａにおいてホットメルト型接着剤で接着され、前記立体構造部３が形成されている。前記補強部材３５，３５は同じ液透過性シート３６で覆われている。この液透過性シート３６は熱融着可能な合成樹脂繊維で形成されたスルーエア不織布であり、この液透過性シート３６と前記補強部材３５は、液の透過を妨げない範囲で塗布されたホットメルト型接着剤で互いに接着されている。
【００６３】
前記液透過性シート３６は、スルーエア不織布に限られず、ポイントボンド不織布、スパンレース不織布あるいはスパンボンド不織布などであってもよいが、液の透過性を良好にするために繊維密度は０．１２ｇ／ｃｍ３以下であることが好ましい。
【００６４】
なお、前記補強部材３５は、ポリエチレン繊維、ポリプロピレン繊維、ポリエステル繊維、あるいはポリエチレンーポリプロピレンの複合合成繊維やポリエチレンーポリエステルの複合合成繊維のいずれか１種以上で形成されたスルーエア不織布やポイントボンド不織布またはスパンボンド不織布で形成することもできる。例えば、前記不織布を複数枚積層して、目付けを６０〜３００ｇ／ｍ２程度に調整し、不織布間を熱エンボス加工や、ホットメルト接着剤による接着工程により接合したものが使用される。
【００６５】
このように合成樹脂繊維のみで構成された補強部材３５は、液吸収層２２に向けて経血を透過でき、しかも補強部材３５自体が経血を吸収して保持しにくいものであるため、立体構造部３に経血が残りにくくなり、肌へのべたつきが生じるのを防止でき、臀裂接触した状態で肌触りが良好になる。
【００６６】
図３に示すように、ナプキン本体２の着衣側表面では、前記裏面シート２１の外面に感圧接着剤層２５，２５が設けられている。この感圧接着剤層２５，２５は帯状で縦方向に連続して延びている。この感圧接着剤層２５，２５は、前記立体構造部３の前記接合片３４の真下に設けられていることが好ましい。接合片３４の真下部分が下着にしっかり接着固定されることで、立体構造部３が臀裂に対向した状態を維持しやすくなる。
【００６７】
また、図示省略するが、前記折り返しフラップ部７，７が形成されている領域、および前記後方フラップ部８，８が形成されている領域においても、前記裏面シート２１の着衣側表面に感圧接着剤層が設けられている。
【００６８】
前記生理用ナプキン１を使用するときには、ナプキン本体２の着衣側表面に設けられた感圧接着剤層２５を下着の内面に接着する。また、折り返しフラップ部７，７を下着のクロッチ部の両側縁部から外面に向けて折り返し、折り返しフラップ部７，７の着衣側表面に設けられた感圧接着剤層をクロッチ部の外面に接着する。また後方フラップ部８，８の着衣側表面に設けられた感圧接着剤層を下着の後身頃の下部内面に接着する。
【００６９】
使用者が前記生理用ナプキン１を下着に固着するときには、折り返しフラップ部７，７の中心位置（前記膣対向基準線Ｘ１）を位置決めの目安とし、前記中心位置がほぼ膣口の前後方向での中心部に一致するようにして着用される。
【００７０】
図１０は、前記生理用ナプキン１が女性の股間部に装着された状態を示し、図１１は、図１１のＸＩ−ＸＩ線での断面図であり、前記立体構造部３が臀裂の内部に入り込んでいる状態を示している。
【００７１】
前記立体構造部３は、身体の溝のうちの少なくとも臀裂に対向する位置に設けられている。図３に示すように、立体構造部３は、両壁面３３と３３との間の幅寸法が頂部３ａに向うにしたがって徐々に小さくなる形状であり、先部の幅寸法Ｗ２が１〜５ｍｍの範囲であり、好ましくは１〜３ｍｍの範囲である。また壁面３３と３３との開き角度θが１２０度以下で好ましくは９０度以下であり、さらに好ましくは６０度以下や４５度以下である。
【００７２】
よって、前記立体構造部３が、膣口の中心よりもやや後方から尾てい骨のやや前方にかけて、身体の溝の内部に入り込みやすくなり、図１１に示すように、立体構造部３は身体の溝の非会合部に密着できるようになる。さらには、前記立体構造部３が臀裂の会合部内に入り込むことも可能である。立体構造部３の補強部材３５は、エアーレイド不織布などで目付けが６０〜３００ｇ／ｍ２の範囲で構成されてそれ自体が弾性と剛性を有しており、さらに高さ方向に延びる圧縮部３７を有している。そのため、臀裂内に入り込んだ状態で容易に潰れることがない。また補強部材３５は頂部３ａに作用する加圧力によって弾性変形可能であるため、身体の溝の深さの変化に追従でき、身体の前後において身体の溝の内部に密着した状態を維持できる。さらに、立体構造部３は内部が空洞であるため、身体の溝の両側の肌が接近したときにも、幅寸法が自由に変化できる。
【００７３】
前記立体構造部３は、補強部材の剛性によって立体状態を保つものであり、縦方向に延びる弾性部材の加圧力によって身体に押し付ける構造ではないため、立体構造部３の頂部３ａが、身体の溝の奥に当たり続けても、局部的な圧迫感や違和感を生じることが少ない。
【００７４】
膣口から出た経血は、ナプキン本体２の表面シート２３を透過して液吸収層２２に吸収されて保持される。就寝時などにおいて肛門から後方へ延びる臀裂に沿って後方へ移行しようとする経血は、身体の溝に密着している立体構造部３に与えられ、液透過性シート３６を透過して液吸収機能を有する補強部材３５に吸収される。前記補強部材３５が、合成樹脂繊維を７０質量％を含むエアーレイド不織布であると、この補強部材３５に与えられた経血は、補強部材３５と液透過性シート３６を伝わって液吸収層２２に与えられやすくなる。よって、前記補強部材３５は合成樹脂繊維を５０質量％以上含むことが好ましい。または、前記のように補強部材３５を合成樹脂繊維のみで形成すると、立体構造部３に経血が残りにくくなる。
【００７５】
図４は本発明の第２の実施の形態の生理用ナプキン１０１を示す斜視図であり、図５は図４の生理用ナプキン１０１をＶ−Ｖ線で切断した横断面図、図６は図４の生理用ナプキン１０１をＶＩ−ＶＩ線で切断した横断面図である。
【００７６】
図４に示すナプキン本体２は、図１ないし図３に示した第１の実施の形態のナプキン本体と同じものである。
【００７７】
第２の実施の形態では、前記ナプキン本体２の肌側表面に、縦方向中心線Ｏｙに沿って延びる表面構成要素１０２が取付けられている。図５と図６に示すように、前記表面構成要素１０２は、液の吸収機能および透過機能を有する補強部材１３５とこの補強部材１３５の肌に接する表面を覆う液透過性シート１３６とから構成されている。補強部材１３５は、パルプと合成樹脂繊維とを含み、合成樹脂繊維が５０質量％以上で例えば７０質量％含まれたエアーレイド不織布である。前記エアーレイド不織布が１枚でまたは複数枚が重ねられて全体が６０〜３００ｇ／ｍ２程度の目付けに調整されている。あるいは、前記のように合成樹脂繊維のみで形成された不織布を複数枚接合して構成されている。
【００７８】
前記液透過性シート１３６は、前記液透過性シート３６と同じスルーエア不織布で構成されている。そして、補強部材１３５と液透過性シート１３６は、液の透過を妨げない程度の坪量で塗布されたホットメルト型接着剤によって互いに接着されている。
【００７９】
図４に示すように、前方起端１３１と後方起端１３２との間で、前記表面構成要素１０２によって立体構造部１０３が形成されている。図６に示すように、立体構造部１０３は内部が空洞であり、壁面１３３，１３３の表面間の幅寸法が、頂部１０３ａからナプキン本体２に向けて徐々に広くなり、ナプキン本体２の肌側表面から上方へ１０ｍｍまたはそれ以上離れた位置に、幅寸法が最大となる突出頂部１０３ｂ，１０３ｂが形成されている。そして、この左右の突出頂部１０３ｂ，１０３ｂからナプキン本体２の肌側表面に向けて前記幅寸法が徐々に狭くなっている。さらに立体構造部１０３の基部には左右両側へ延びる接合片１３４，１３４が縦方向に連続して形成されており、この接合片１３４，１３４がナプキン本体２の肌側表面にホットメルト型接着剤によって接着固定されている。
【００８０】
前記立体構造部１０３では、前記補強部材１３５に圧縮部１３７が形成されてる。この圧縮部１３７は、前記両壁面１３３，１３３において、ナプキン本体２の肌側表面から頂部１０３ａに向けてほぼ垂直に延びて形成されている。前記圧縮部１３７は、縦方向に間隔を開けて互いに並行に延びている。
【００８１】
立体構造部１０３の前方起端１３１は、膣対向基準線Ｘ１よりも前方へ１０〜２０ｍｍ離れた位置に存在し、後方起端１３２は、尾てい骨対向基準線Ｘ３よりもやや前方に位置している。よって、立体構造部１０３は、膣口の後方部分から臀裂にかけて密着することができる。
【００８２】
図４と図５に示すように、前記前方起端１３１よりも前方においては、前記表面構成要素１０２の接合片１３４，１３４がナプキン本体２の肌側表面に接着固定されて、さらに接合片１３４と接合片１３４との間に位置する前記補強部材１２５および液透過性シート１３６が平坦な状態に折り畳まれて前方扁平部１０４が形成されている。また図４に示すように、後方起端１３２よりも後方においても、同様にして後方扁平部１０５が形成されている。
【００８３】
第２の実施の形態の生理用ナプキン１０１では、立体構造部１０３の壁面１３３，１３３に突出頂部１０３ｂ，１０３ｂが形成され、その上方において立体構造部１０３の幅寸法が頂部１０３ａに向けて徐々に狭くなっている。そのため、生理用ナプキン１０１を股間部に装着したときに、前記突出頂部１０３ｂ，１０３ｂよりも上方部分が身体の溝に密着するようになる。また前記突出頂部１０３ｂ，１０３ｂが形成されていると、頂部１０３ａが押されたときに、立体構造部１０３がナプキン本体２の肌側表面に向けて押圧変形しやすくなる。そのため、就寝時に身体の溝の深さが変化したときに、立体構造部３が身体の溝に密着したまま自由に変形できるようになる。
【００８４】
前記立体構造部１０３は、前方の高さ寸法の低い部分が陰唇に密着するため、膣口から出た経血を直ちに立体構造部１０３で補足できるようになる。また膣口の前方部分には前方扁平部１０４が密着するため、この部分での膣口への密着度が高くなり、経血が補強部材１３５で補足され、経血の横漏れを防止しやすくなる。
【００８５】
図７は本発明の第３の実施の形態の生理用ナプキン２０１を示す平面図、図８は図７の生理用ナプキン２０１をＶＩＩＩ−ＶＩＩＩ線で切断した断面図である。
【００８６】
第３の実施の形態のナプキン本体２は、第１の実施の形態のナプキン本体と同じ構造である。また第３の実施の形態の表面構成要素２０２は第２の実施の形態の表面構成要素１０２と同様に、補強部材１３５と液透過性シート１３６とで構成されている。そして、図７に示すように、前記表面構成要素２０２によって、立体構造部２０３と、その前方に位置する前方扁平部２０４および後方に位置する後方扁平部２０５とが形成されている。前方扁平部２０４と後方扁平部２０５は、図５に示した前方扁平部１０４と同様に折り畳まれて形成されている。
【００８７】
図８に示すように、第３の実施の形態の生理用ナプキン２０１では、立体構造部２０３の基部の接合片２３４，２３４がナプキン本体２の肌側表面に接着されているが、立体構造部２０３の頂部２０３ａから下方へ離れた位置で壁部２３３と壁部２３３の内面どうしが互いに接着されている。
【００８８】
よって、図７に示すように、立体構造部２０３は、膣対向基準線Ｘ１付近から後方へ向うにしたがって幅寸法が狭くなり、少なくとも肛門位置（ｉｖ）とその後方５０ｍｍの位置（ｖｉ）の範囲に対向する部分で幅寸法が最も狭くなっている。そしてナプキン後方へ向うにしたがって幅寸法が徐々に広くなる構造である。この立体構造部２０３は、臀裂に対向する部分で幅寸法が小さくなっているため、この幅寸法の小さい部分が臀裂の最深部の会合部内に入り込みやすくなる。
【００８９】
図９（Ａ）（Ｂ）（Ｃ）は、ナプキン本体の肌側表面に設けられる立体構造部の変形例を示す断面図である。
【００９０】
図９（Ａ）に示す立体構造部３０３は、液吸収機能を有するエアーレイド不織布、パルプのみで形成されたエアーレイド不織布（エアーレイドパルプ）、紙、レーヨン繊維で形成されたスパンレース不織布などの液吸収層３３５の内側に、補強部材３３４が接着されている。この補強部材３３４は、紙、ウレタンフォームシート、ポリエチレンフォームシートなどである。そして、前記液吸収層３３５の表面が液透過性シート３３６で覆われている。
【００９１】
図９（Ｂ）に示す立体構造部４０３は、中心部に紙やポリウレタンフォームなどのように軟質で頂部４０３ａからの荷重によって容易に座屈できる補強部材４３４が設けられ、その左右両側にスルーエア不織布などで形成された軟質なクッション層４３５が設けられ、さらにその表面が液透過性シート４３６で覆われている。
【００９２】
図９（Ｃ）に示す立体構造部５０３は、第１の実施の形態と同じエアーレイド不織布で形成された補強部材３５で形成されている。そして補強部材３５の表面は、前記液吸収層２２の表面を覆う前記表面シート２３によって覆われている。
【００９３】
次に、前記立体構造部３の好ましい高さ寸法Ｈおよび立体構造部３の好ましい剛性について説明する。
【００９４】
図１１に示すように、身体の溝は左右の肌が離れている深さＤ１の非会合部と、左右の肌が接触している深さＤ２の会合部とに区分される。前述した女性被検者を閉脚させ、立った姿勢で測定した前記非会合部の深さＤ１は図１２に示した通りであり、ほぼ１０〜２５ｍｍの間であった。さらに、閉脚させた状態で立った姿勢での前記会合部の深さＤ２は、１０〜２０ｍｍの範囲であった。よって立った姿勢での身体の溝の深さの合計（Ｄ１＋Ｄ２）は２０〜４５ｍｍである。
【００９５】
また、被検者が閉脚で仰向けの姿勢となったときの前記非会合部の深さＤ１は、図１２に示したようにほぼ５〜２０ｍｍであった。このときの会合部の深さＤ２はおよそ１０〜１５ｍｍであり、仰向けの姿勢での前記溝の深さの合計（Ｄ１＋Ｄ２）は１５〜３５ｍｍであった。
【００９６】
前記立体構造部３は、ナプキン本体の肌側表面から１０ｍｍ程度離れた位置よりも上方部分が身体の溝に接触する。したがって、図２に示す立体構造部３の高さ寸法Ｈの最大値Ｈｍａｘは、最大で６０ｍｍであることが好ましく、最低でも２５ｍｍ以上であることが好ましい。
【００９７】
次に、前記被検者の身体の溝の最深部に入り込む際の抵抗値を測定した。
この測定には、長さ４０ｍｍで高さ３０ｍｍの硬質プラスチックの表面をスルーエア不織布で覆った測定子を使用した。この測定子は、厚さが１．０３ｍｍ、５．１５ｍｍ、１０．３ｍｍ、１５．４５ｍｍの４種類ものを使用した。被検者を閉脚で立った姿勢とし、前記測定子を図１０および図１２に示す（ｉｉｉ）の位置から（Ｖｉ）の位置の中間において、身体の溝内に挿入し、測定子の先端が会合部の奥まで到達するのに必要な荷重を測定した。その結果は以下の通りである。
【００９８】
（厚み寸法）  １．０３ｍｍ  ５．１５ｍｍ  １０．３ｍｍ  １５．４５ｍｍ
（挿入荷重）    ０．６５Ｎ    ４．３６Ｎ    ８．２１Ｎ      １２．８Ｎ
（換算値）    ０．１５８Ｎ  ０．２１２Ｎ  ０．１９９Ｎ    ０．２０７Ｎ
【００９９】
前記換算値は、身体の溝の奥に到達するのに要する荷重を、測定子の幅寸法１ｍｍで長さ寸法１０ｍｍ当たりの荷重に換算したものである。前記測定によると、立った姿勢において、身体の溝の最深部に到達する際に、身体から受ける抵抗力は、幅１ｍｍで長さ１０ｍｍ当たりほぼ０．２Ｎであることが解る。
【０１００】
図１２によれば、身体の膣口位置（ｉｉ）から肛門後ろ８０ｍｍの位置（ｖｉｉ）の範囲において、就寝時の非会合部の深さ寸法Ｄ１は最小で１５ｍｍ程度になり得る。また、前述のように立ち姿勢において、身体の溝の深さ寸法（Ｄ１＋Ｄ２）の合計の最大値は４５ｍｍ程度である。よって、立ち姿勢において前記生理用ナプキンの立体構造部３が身体の溝の最深部に到達した状態で、その後に仰向けに寝て立体構造部３が肌によって押し返されたときに、前記立体構造部３の頂部３ａは、その高さ寸法Ｈｍａｘが、｛（４５−１５）／４５｝×１００＝６６％の減少率で減少することが有り得る。
【０１０１】
そこで、図２に示す立体構造部３の高さ寸法が最大値Ｈｍａｘとなる頂部３ａに対して、幅１ｍｍで長さ１０ｍｍ当たり０．２Ｎの圧力をナプキン本体２に向けて与えたときに、その高さの減少率が６６％以下であれば、立ち姿勢から仰向けに寝た姿勢になったときに、立体構造部３は、身体の溝のほとんどの部分で少なくとも非会合部に密着した状態を維持できることになる。
【０１０２】
次に、前記測定子を前記被検者の身体の溝に挿入したときに、閉脚で且つ仰向け姿勢のときに被検者が違和感を生じない最大荷重を測定し、前記と同様にその荷重を１ｍｍ幅で１０ｍｍ当たりの荷重に換算した。
【０１０３】
（厚み寸法）  １．０３ｍｍ  ５．１５ｍｍ  １０．３ｍｍ  １５．４５ｍｍ
（最大荷重）  １．２１３Ｎ    ９．５７Ｎ  １２．３９Ｎ    １６．２６Ｎ
（換算値）    ０．３０３Ｎ  ０．４６４Ｎ  ０．３００Ｎ    ０．２６３Ｎ
【０１０４】
前記測定値によれば、立体構造部３から身体に与えられる力が１ｍｍ幅で長さ１０ｍｍあたり０．３Ｎであれば、被検者が違和感を生じないことが解る。
【０１０５】
図１２によると、立ち姿勢のときと仰向けに寝た姿勢とで、身体の溝の深さは、ほぼ｛（２５−２０）／２５｝×１００＝２０％減少することが解る。
【０１０６】
よって、立体構造部３の高さ寸法が最大値Ｈｍａｘとなる頂部に、幅１ｍｍで長さ１０ｍｍ当たり０．３Ｎの力をナプキン本体２の肌側表面に向けて与えたときに、前記頂部の前記高さ寸法の減少率が２０％以上であれば、就寝時に身体の溝の深さが変化しても、立体構造部３から身体に違和感を与えることがなく、立体構造部３が身体の溝に密着し続けることが解る。
【０１０７】
なお、前記補強部材として前方起端３１と後方起端３２との間に張設されて、前記前方起端３１と前記後方起端３２を互いに接近させる収縮弾性力を発揮するゴム糸などの少なくとも１本の弾性収縮部材を使用してもよい。この弾性収縮部材の弾性収縮力によって前記前方起端３１と後方起端３２とを接近させる引張り力が与えられて、ナプキン本体２が湾曲変形し、この湾曲変形に伴い、ナプキン本体２の肌側表面に設けられた液透過性シートが前記肌側表面から離れるように持上げられて立体構造部３が形成される。この場合、前記弾性収縮力が存在する部分が立体構造部３の頂部３ａとなり、前記液透過性シートによって両壁面３３，３３が形成される。
【図面の簡単な説明】
【０１０８】
【図１】本発明の第１の実施の形態の生理用ナプキンを示す斜視図、
【図２】前記生理用ナプキンの縦断面図、
【図３】図１に示す生理用ナプキンをＩＩＩ−ＩＩＩ線で切断した断面図、
【図４】本発明の第２の実施の形態の生理用ナプキンを示す斜視図、
【図５】図４に示す生理用ナプキンをＶ−Ｖ線で切断した横断面図、
【図６】図４に示す生理用ナプキンをＶＩ−ＶＩ線で切断した横断面図、
【図７】本発明の第３の実施の形態の生理用ナプキンを示す平面図、
【図８】図７に示す生理用ナプキンをＶＩＩＩ−ＶＩＩＩ線で切断した横断面図、
【図９】（Ａ）（Ｂ）（Ｃ）は立体構造部を実施の形態別に示す横断面図、
【図１０】本発明の生理用ナプキンが女性の股間部に装着された状態を示す縦断面図、
【図１１】図１０のＸＩ−ＸＩ線の断面図、
【図１２】女性の身体の溝の深さを測定した測定線図、
【符号の説明】
【０１０９】
１  生理用ナプキン
２  ナプキン本体
３  立体構造部
３ａ  頂部
２１  裏面シート
２２  液吸収層
２３  表面シート
３１  前方起端
３２  後方起端
３３  壁部
３４  接合片
３５  補強部材
３６  液透過性シート
１０２  表面構成要素
１０３  立体構造部
１０４  前方扁平部
Ｘ１  膣対向基準線
Ｘ２  肛門対向基準線
Ｘ３  尾てい骨対向基準線
【図１】
2005334293.tif 000003
【図２】
2005334293.tif 000004
【図３】
2005334293.tif 000005
【図４】
2005334293.tif 000006
【図５】
2005334293.tif 000007
【図６】
2005334293.tif 000008
【図７】
2005334293.tif 000009
【図８】
2005334293.tif 000010
【図９】
2005334293.tif 000011
【図１０】
2005334293.tif 000012
【図１１】
2005334293.tif 000013
【図１２】
2005334293.tif 000014